(57)【要約】【目的】  コンクリートパラペットの厚みやパラペット上面の水勾配にその都度寸法を自在に変えられる支柱埋設穴の形成治具を提供すること。【構成】  所定寸法の埋設穴に対応した外形の穴形成体と、該部材の基端面に取り付けられた位置決め具とパラペット厚みに対応する幅決め具とパラペットの水下側を固定する支保枠を備えた支柱埋設用穴の形成治具であって、前記穴形成体には樹脂製袋が被せられ、該袋は形成体から抜け落ちないように形成体頂部と位置決め具に挟み込まれている。又、形成体頂部にはナットが固着されていて位置決め具と幅決め具をアイボルトで締結し、保持具は幅決め具に固着されたナットにアイボルトで締結され、該ボルトに対応した締結用穴は各部材がスライド可能にルーズ穴とした構成となっている。【選択図】図２
2009041357.tif 000002
【特許請求の範囲】
【請求項１】
コンクリート打設時に支柱を立設する穴を予めコンクリートパラペット上面に形成する治具において、所定寸法の埋設穴に対応した外形形状の穴形成体を型枠の所定位置に固定する位置決め具と幅決め具と保持具を備え、パラペットの壁厚みやパラペット上面の水勾配の寸法の変化に対応出来るよう、各部材の連結部にガイド片とルーズ穴を備えたことを特徴とするコンクリートパラペットの支柱埋設穴の形成治具。
【発明の詳細な説明】
【技術分野】
【０００１】  本発明は手摺やフェンス等をコンクリートパラペットに立設する際に、その支柱を埋設するための埋設用穴の形成治具に関するものである。
【背景技術】
【０００２】  一般に、手摺やフェンス等を立設するには、コンクリート構造物の打設時に該支柱を立設するための穴を設け、然る後に支柱を穴に挿入し、モルタルや樹脂接着剤を穴と支柱の隙間に流し込んで固化させていた。【０００３】  また、埋設穴を形成するには、繰り返し使用出来る専用の形成治具が用いられている。このようなものとして、従来例えば、実願平４−５１１０６号や実公平５−４４９９号や特開平７−２５９３３６号に開示されたものが知られている。【０００４】  前記公報開示の形成治具は閉塞された先端部に向け僅かに先細りのテーパー状に形成された筒状の金属ボックスと、該部材の基端部を所定の位置に固定する位置決め板と、前記金属ボックスの外周を着脱自在に覆う樹脂製袋で構成されていた。【０００５】  そして、コンクリートパラペットに支柱を立設するためには、金属ボックスに樹脂製袋を被せ、該穴形成部材を所定の位置に設置して支持金具により固定し、そして、穴形成部材の周りにコンクリートを打設し、コンクリートが固化したら支持金具を取り外し、金属ボックスをパラペットから抜き取り、次に樹脂製袋を穴から取り出すとコンクリートパラペットに埋設用穴が形成される。その後、埋設用穴に支柱の端部を差し込み、支柱の周りにモルタルや樹脂接着剤を流し込み固化することにより支柱がコンクリートパラペットに強固に立設され、前記治具は繰り返し使用出来る構造となっている。
【発明の開示】
【０００６】  しかしながら、上述した従来の形成治具においては、穴形成部材をコンクリートパラペットの壁厚みの所定の位置に設置するには、都度その建築現場のパラペット壁厚みやパラペット天場の水勾配の落差に合わせた寸法の支持金具を作らなければならなかった。
【０００７】  すなわち、コンクリートパラペットの壁厚みやパラペット天場の水勾配は建築の設計意図により一様ではなく、都度仕様に合わせた支持金具を製作しなければならず時間とコストが嵩むという欠点があった。又、前記金属ボックスの外周を覆う樹脂製袋は先端部先細り形状なるため使用中にコンクリート型枠の中に抜け落ちるという欠点があった。
【０００８】  そこで、本発明はコンクリートパラペットの壁厚みや、水勾配にその都度合わせられるよう寸法を自在に変えられる支柱埋設穴の形成治具を提供することを目的としている。
【課題を解決するための手段】
【０００９】  本発明のコンクリートパラッペト用支柱埋設穴の形成治具は、所定寸法の埋設穴に対応した外形の穴形成体と、該部材の基端面に取り付けられた位置きめ具とパラペット厚みに対応する幅決め具とパラペットの水下側を固定する保持具を備えた支柱埋設用穴の形成治具であって、前記穴形成体には樹脂製袋が被せられ、該袋は形成体から抜け落ちないように形成体頂部と位置決め具に挟み込まれている。
【００１０】  又、形成体頂部にはナットが固着されていて位置決め具と幅決め具をアイボルトで締結し、保持具は幅決め具に固着されたナットにアイボルトで締結され、該ボルトに対応した締結用穴は各部材がスライド可能にルーズ穴とした構成となっている。
【００１１】  又、前記位置決め具はＬ型断面のバー材をＺ状に曲げて穴形成体の頂部に設けられたナットに対応するようにルーズ穴が設けられ、幅決め具もＬ型断面のバー材をＬ状に曲げて前記位置決め具同様穴形成体の頂部に設けられたナットに対応するようにルーズ穴が設けられ、且つ保持具のルーズ穴に対応するようナットが固定され、保持具はＬ型断面のバー材をＬ状に曲げて幅決め具のナットに対応するようにルーズ穴が設けられている。
【発明の効果】
【００１２】  このような形成治具でコンクリートパラペットに支柱埋設穴を設けるには、パラペットの壁厚みとパラペット天場の水勾配の落差寸法に合わせて位置決め具と幅決め具と穴形成体及び保持具をそれぞれアイボルトで締結し、その際、穴成型ボックスには樹脂製袋を被せ、該袋の開放部の端部を前記形成体頂部と位置決め具の間に挟み込み落下しないよう固定しておきます。
【００１３】  こうして組み立てられた形成治具をパラペットを形成する型枠の所定の位置に設置して固定部を型枠にねじやボルト等で固定し、型枠内にコンクリートを打設します。その後コンクリートが固化したら型枠に固定したねじやボルトを外し、形成治具をコンクリートから抜き取ると支柱埋設用穴が出来ます。
【００１４】  該穴に支柱の端部を差込み、この支柱と埋設用穴間にモルタルや樹脂接着剤を充填して固化させます。
【００１５】  したがって、本発明による形成治具はコンクリートパラペットの壁厚み、水勾配に随時に合わせて使用出来るので、都度加工を加えたり新規に部材を作り直す必要がなく繰り返し使用することが出来るので大変便利である。
【発明を実施するための最良の形態】
【００１６】  以下に、本発明を図面に示す一実施例に基いて説明する。【００１７】  本実施例のコンクリートパラペットＡにおける支柱埋設用穴Ｂの形成治具１は、図１及び図２に示すように、穴形成体２と，該穴形成体を包み込む樹脂製の袋６と、穴形成体２をコンクリートパラペット形成用型枠Ｄに固定設置する位置決め具３、幅決め具４と保持具５とから構成されている。【００１８】  すなわち穴形成体２は、支柱Ｆの埋設穴の所要寸法に対応した形状で、且つ筒先端をやや細くして、コンクリートの固化後、穴形成体２を抜き取り易いようにしてある、又。穴形成体２には樹脂製の袋６を被せておく。この目的は穴形成体２とコンクリートの剥離性を良くするためであるが、被せておくだけではコンクリート打設時に袋６が落下する恐れが生じるので袋蓋６ａを付けて形成治具を組み立て時に穴形成体頂部２ｂと位置決め具３の間に挟み込んでおく。【００１９】  穴成体２に位置決め具３と幅決め具４を載せ、アイボルト７ａを幅決め具４及び位置決め具３のそれぞれのルーズ穴４ａ、３ａを貫挿して穴形成体２の頂部にもうけられたナット２ａにねじ込み装着されている。この時袋６の袋蓋６ａは位置決め具３と穴形成体２との間に折り曲げられ、挟み込まれて締め付けられ固定されているのでコンクリート打設時に外れて落下する恐れはない。【００２０】  上記幅決め具４はパラペットＡの壁厚みに対応してスライドさせることが出来る。又、幅決め具４にはガイド片４ｃが設けられ、該ガイド板４ｃによって位置決め具３が当接され規制される、よってパラペットＡの厚み方向に直線的に動かせるので幅決めが楽である。又、穴形成体２の一辺もガイド板４ｃに当接してあるので穴形成体２は回転することなく正確に設置される、【００２１】  又、保持具５にも幅決め具４と結合するためのルーズ穴５ａが設けられ、一方の当接する幅決め具４にはナット４ｂが固着されて、アイボルト７ｂによって組付けられているのでパラペットＡの天場の水勾配の落差寸法に合わせて任意の位置でアイボルト７ｂを締め付けることで簡単に調整が出来る。又、幅決め具４に設けられたガイド片４ｄに保持具５が規制されて上下に動かせるので保持具５は常に垂直に立接させて取り付けることが出来る。【００２２】  上記形成治具１の部材はアイボルト７ａ，７ｂで螺着してあるので棒状のものをアイボルトの穴の中に差し込み締め付け、取り外しが出来るので、特別な工具は不要である。【００２３】  次にパラペット型枠Ｄに本実施例の形成治具１を用いて支柱埋設用穴Ｂを形成する方法について説明する。【００２４】  まず、図３に示すように、パラペット型枠Ｃの支柱を設ける位置に、本実施例の形成治具１を設置する。この形成治具１は予め穴形成体２に位置決め具３、幅決め具４、保持具５をパラペット壁厚み寸法とパラペット天場の水勾配落差寸法に合わせてアイボルト７ａ、７ｂでそれぞれを所定位置に締結固定しておく。所定寸法に組み立てられた形成治具１は型枠Ｃに木ねじ８、又はボルト等で固定する。【００２５】  そして、型枠Ｃ内にコンクリートを打設し、コンクリートが固化したら、型枠Ｃに固定した木ねじ８、又はボルトを外し。次に形成治具１を組み立てているアイボルト７ａの穴に���棒を差し込み、てこの原理で引き抜くと穴形成体２が取り出され、パラペットコンクリートＡの天場に支柱埋設用穴Ｂが形成される。尚、袋６は穴形成体２と同時にコンクリートから引き抜かれる。【００２６】  その後、図５に示すように、支柱埋設穴Ｂ内に支柱Ｆを差し込み、この支柱Ｆと支柱埋設穴Ｂ間にモルタルや樹脂接着剤を流し込み、固化することで支柱ＦがコンクリートパラペットＡに強固に立設される。【００２７】  尚、本実施例での形成治具の部材の断面はアングル状に限らずチャンネル状やラトゲージ状であってもよい。又、穴形成体の材料は金属に限らず、硬質プラ
スチックや発泡プラスチックでもよい。【００２８】  以上説明したように、本は発明によれば、支柱埋設用穴を設けるコンクリートパラペットの壁厚やパラペット天場の水勾配がさまざまな場合、都度所要寸法に簡単に合わせられるので汎用性が高く、構造が簡単なので安価に作れ、繰り返し使用が出来るので形成治具の償却コストの低減が図られる。
【図面の簡単な説明】
【００２９】
【図１】本発明の一実施例に係り、本実施例のコンクリートパラペットにおける支柱埋設用穴の形成治具を示す概略縦断面図。
【図２】本実施例のコンクリートパラペットにおける支柱埋設用穴の形成治具の使用状態を示す斜視見取り図。
【図３】本実施例の形成治を示す分解斜視図。
【図４】別の穴成形体の実施例を示す図。
【図５】形成された埋設穴に支柱を立設した状態を示す概略斜視図。
【符号の説明】
【００３０】１      形成治具
２      穴形成体
３      位置決め具
４      幅決め具
５      保持具
６      袋
Ａ      コンクリートパラペット
Ｂ      支柱埋設穴
Ｆ      支柱
【図１】
2009041357.tif 000003
【図２】
2009041357.tif 000004
【図３】
2009041357.tif 000005
【図４】
2009041357.tif 000006
【図５】
2009041357.tif 000007